(57)【要約】【課題】  簡単な構造のもとに、ダイカスト製等の耐磨耗性の比較的低いロータを採用するにも拘わらず、鍵孔の摩耗に起因する弊害を生じないようにしたシリンダ錠装置を提供すること。【解決手段】  両長辺の中央付近に内向きの凸条部８を設けた断面がほぼ長方形の鍵孔１を有するダイカスト製のロータ７を備えた型式のシリンダ錠装置において、鍵孔１について、隅角部に鍵の被規制溝１２ａに対応した状態のもとに、案内用の凸条部９を設けて案内用の凸条部を３カ所にしたシリンダ錠と、片方の端縁部において、鍵山部を廃止してその位置に被規制片１６を設けたまま、被規制片１６に隣接して凸条部９に対応する被規制溝１４を設けた親鍵１０ｂとの組合せを特徴とする。【選択図】    図３
0003115761.tif 000002
【実用新案登録請求の範囲】
【請求項１】
前後方向の鍵孔（１）を穿設するほか、直径方向に複数のスリット状溝孔（２）とこの溝孔（２）に隣接したばね受穴（３）とを形成したロータ主体（４）を設け、かつ溝孔（２）にはディスクタンブラ（５）をばね受穴（３）内におけるばね（６）により常時半径方向に進出し易い方向に付勢したまま収容して構成したロータ（７）をシリンダの内部に収容し、必要に応じ鍵の挿込み時に限りディスクタンブラ（５）を溝孔（２）に退没させ、一定角度旋回することができるようにしたディスクタンブラ使用型のシリンダ錠装置であって、
前記鍵孔（１）の断面形状として扁平な長方形の対向両長辺の中央部に内向きに案内用の凸条部（８）を設けるほか、ばね受穴（３）の受座（３ａ）と対角位置の隅角部に案内用の凸条部（９）を長方形主部の厚みの約中間まで突設し、
施解錠用の子鍵（１０ａ）の断面形状として、扁平な長方形の対向両長辺の中央部に内向きに被規制溝（１１）を前記凸条部（８）に符合するように刻設すると共に、対角関係の隅角部に被規制溝（１２ａ）を削成して厚みが半分の鍵山片（１３ａ）を残し、この鍵山片（１３ａ）に鍵山を刻設し、
親鍵（１０ｂ）の断面形状として、扁平な長方形の対向両長辺の中央部に内向きに被規制溝（１１）を前記凸条部（８）に符合するように刻設すると共に、片方の端縁において子鍵（１０ａ）における鍵山片（１３ａ）に相当する隅角部に被規制溝（１２ｂ）を削成することにより、子鍵（１０ａ）における被規制溝（１２ａ）に相当する位置に鍵山片（１３ｂ）を形成し、かつ鍵山片（１３ｂ）には鍵山を刻設し、また他方の端縁においては子鍵（１０ａ）におけると被規制溝（１２ａ）と同位置に削成部を設けて被規制溝（１４）を形成し、厚みが半分の被規制片（１５）を子鍵（１０ａ）における鍵山片（１３ａ）と同位置に形成したことを特徴とするシリンダ錠装置。
【請求項２】
ダイカスト製のロータ主体（４）を採択してこのロータ主体（４）には、ばね受穴（３）とは反対側において外方から半径方向にスリット状の嵌合孔（１６）を設けると共に、これに対しロータ主体（４）よりも耐摩耗性もしくは硬度を有する材質からなり、先端に凸条部（８）が形成されたくし型の補強片（１７）を用意してこの補強片（１７）をその凸条部（８）が鍵穴（１）の所定位置に合致するように嵌合孔（１６）に挿着固着してなる請求項１に記載のシリンダ錠装置。
【考案の詳細な説明】
【技術分野】
【０００１】  本考案は、鍵を安定的に挿脱することができるようにしたシリンダ錠装置に関するものである。
【背景技術】
【０００２】  従来のシリンダ錠におけるロータの鍵孔を形成する前後方向に延びる凹凸壁面は、鍵の挿脱の際に鍵をがたつかせることなく案内すること，鍵とタンブラとの対接関係の誤りに起因する誤作動が生じないようにすること，不正鍵の使用を防止すること等の目的を有しているが、従来のシリンダ錠におけるロータの主体は生産性の理由から主としてダイカストによる亜鉛合金製が採用されており、鍵孔形状は概ね図５の（ａ）のように扁平な長方形の中央部がくびれた形状が採用されており、かつ通常使用する子鍵は（ｂ）のように対角関係の隅角都の端縁寄り部の厚みを半分に削成して鍵山部に充当するようにした断面に形成し、所謂リバーシブル鍵とすると共に、親鍵は（ｃ）のように子鍵と左右対称な断面に形成している。
【考案の開示】
【考案が解決しようとする課題】
【０００３】  亜鉛合金は耐摩耗性が比較的低いので、コインロッカー等の共用施設の錠前のように、使用頻度のはげしい条件下では亜鉛合金製ロータ主体の鍵孔は、使用時における鍵との摺擦により壁面殊に凸条部が摩耗し易く、特に前記従来品においては、鍵の脱着時の規制が主として凸条部において行われる構成であると、凸条部の摩損が進行し、鍵の挿脱時にタンブラに対する正規の対接関係が保てずに誤作動が生じて、施解錠に不都合が生じる場合がある。【０００４】  そこで本考案の目的は、簡単な構造のもとに、ダイカスト製のロータを採用するにも拘わらず、鍵孔形状の改善により鍵の案内を安定化すると共に、耐久性を強化するようにしたシリンダ錠装置を提供することにある。
【課題を解決するための手段】
【０００５】  上記目的を達成するため、請求項１の考案は、断面がほぼ長方形主部の対向両長辺の中央付近に内向きに案内用の凸条部を設けた鍵孔を有するダイカスト製のロータを備えた型式のシリンダ錠装置を対象として、鍵孔について、ほぼ長方形主部の１カ所の隅角部に鍵の削成部に対応した状態のもとに、案内用の凸条部を設けて案内用の凸条部を３カ所にしたシリンダ錠と、片方の鍵山部を廃止したまま、子鍵における鍵山部に相当する隣接位置に被規制片を設けた親鍵との組合せを特徴とし、請求項２の考案は、請求項１に記載のシリンダ錠装置において、長辺の中央付近に設けた両凸条部の一方について、外方から半径方向にロータ主体よりも耐摩耗性もしくは硬度を有するくし型の補強片を挿着固定したことを特徴とする。
【考案の効果】
【０００６】  本考案によれば、鍵穴の案内用の凸条部を３カ所に増設すると共に、親子両鍵には凸条部に対応する被規制溝を設けたことにより、簡単な構成のもとに、鍵の挿脱操作を安定的に長期にわたり維持することができるほか、親鍵の構造をリバーシブル型式にすることなく簡単化することができる。また補強片の付設により凸条部の一部を耐摩耗性に補強したから、これにより簡単な構造のもとに、鍵の挿脱時においてタンブラに対する対接関係を常時安定的に確保した状態のもとに支障なく施解錠することができる。
【考案を実施するための最良の形態】
【０００７】  本考案の適用対象としてのシリンダ錠装置としては、例えば図１および図２のように、中心部付近に鍵の受入れに対応した前後方向の鍵孔１を穿設するほか、直径方向に複数のスリット状溝孔２とこの溝孔２に隣接したばね受穴３とを形成したロータ主体４を設け、かつ溝孔２にはディスクタンブラ５をばね受穴３内におけるばね６により常時半径方向に進出し易い方向に付勢したまま収容して構成したロータ７を、シリンダ（図示せず）の内部に収容した状態のもとに、必要に応じ鍵の挿込み時に限りディスクタンブラ５を溝孔２に退没させ、一定角度例えば９０°あるいは１８０°旋回することができるようにしたディスクタンブラ使用型を採択する。【０００８】  上記シリンダ錠装置に対する本考案の特殊構成としては、例えば鍵孔１の断面を扁平な長方形の対向両長辺の中央部に内向きに案内用の凸条部８を設けるほか、ばね受穴３の受座３ａと対角位置の隅角部に案内用の凸条部９を長方形主部の厚みの約中間まで突設する。通常使用する子鍵１０ａとしては、図１および図３の（ｂ）のように、扁平な長方形の対向両長辺の中央部に内向きに被規制溝１１を前記凸条部８に符合するように刻設すると共に、対角関係の隅角部に被規制溝１２ａを形成して厚みが半分の鍵山片１３ａを残し、この鍵山片１３ａに個々のコードに対応する鍵山を刻設する。この子鍵１０ａのブランクの断面形状は、中心軸線に関して点対称の形状であり、従来の子鍵と性質的に異なるところはない。親鍵１０ｂとしては、扁平な長方形の対向両長辺の中央部に内向きに被規制溝１１を前記凸条部８に符合するように刻設すると共に、片方の端縁（図において上半部）において子鍵１０ａにおける鍵山片１３ａに相当する隅角部に被規制溝１２ｂを削成することにより、子鍵１０ａにおける被規制溝１２ａに相当する位置に鍵山片１３ｂを形成し、かつ鍵山片１３ｂには親鍵１０ｂとしての鍵山を刻設する。また他方の端縁（図において下半部）においては、子鍵１０ａにおける被規制溝１２ａと同位置に同様な削成部を設けて被規制溝１４を形成し、厚みが半分の被規制片１５を子鍵１０ａにおける鍵山片１３ａと同位置に形成する。親鍵１０ｂのブランクの断面形状は両長辺を二等分する線に関し線対称である。【０００９】  前記ロータ主体４には、そのばね受穴３がある反対側において外方から半径方向にスリット状の嵌合孔１６を設けると共に、これに対し先端に凸条部８が形成された耐摩耗性もしくは硬度を有する材質のくし型の補強片１７（図４参照）を用意してこの補強片１７をその凸条部８が鍵穴１の所定位置に合致するように嵌合孔１６に挿着したまま、圧入，かしめ，ろう付け等の適宜手段により固着し、なお補強片１７はステンレススチールが適当であるが、ロータ主体４の構成材よりも耐摩耗性もしくは硬度を有する材料の中から適宜選択すればよい。【００１０】  なお、この明細書において凸条部８および９については、スリット状溝孔２並びにディスクタンブラ５により不連続状態であるが、凸起が列設された状態であるため、凸条部と表現した。
【図面の簡単な説明】
【００１１】
【図１】  本考案における一実施形態を示すシリンダ錠装置の要部の斜面図である。
【図２】  図１のシリンダ錠装置の縦断端面図である。
【図３】  本考案の鍵孔と鍵との関係を説明する断面図である。
【図４】  本考案における補強片を示す斜面図である。
【図５】  従来装置のにおける鍵孔と鍵の関係を説明する断面図である。
【符号の説明】
【００１２】        １  鍵孔
２  スリット状溝孔
３  ばね受穴
３ａ  受座
４  ロータ主体
５  ディスクタンブラ
６  ばね
７  ロータ
８  案内用の凸条部
９  案内用の凸条部
１０ａ  子鍵
１０ｂ  親鍵
１１  被規制溝
１２ａ  被規制溝
１２ｂ  被規制溝
１３ａ  鍵山片
１３ｂ  鍵山片
１４  被規制溝
１５  被規制片
１６  嵌合孔
１７  補強片
【図１】
0003115761.tif 000003
【図２】
0003115761.tif 000004
【図３】
0003115761.tif 000005
【図４】
0003115761.tif 000006
【図５】
0003115761.tif 000007